【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
空気が供給される供給ポートと、当該供給ポートからの空気を流出する出力ポートと、前記出力ポートへ戻される空気を外部に排出する排出ポートに連通するとともに前記供給ポートおよび前記出力ポートを連通させる供給側の弁孔とを有する弁収容孔が形成される弁ハウジングと、
前記弁収容孔内に設けられ、前記出力ポートと前記排出ポートとを連通させる排出側の弁孔が設けられた円筒形状のガイド部材と、
前記弁収容孔に軸方向に往復動自在に装着される弁軸と、
前記ガイド部材の端部に設けられ、前記弁軸に設けられた弁体に当接して前記排出側の弁孔を閉じ、前記弁体から離れて前記排出側の弁孔を開放する排出側の弁座面と、
前記弁軸に向けて径方向内方に突出するとともに、円周方向に離れて前記ガイド部材の内面に設けられ、相互間に前記ガイド部材の連通溝を形成する少なくとも３つのガイド部材の突起部と、
前記ガイド部材の突起部に軸方向に伸びて設けられ、前記弁軸を支持するガイド部材の線接触部とを有し、
前記ガイド部材は、前記ガイド部材の線接触部で前記弁軸を軸方向にガイドするとともに、前記弁体に前記排出側の弁座面を当接させてシールすることを特徴とする方向制御弁。
【請求項２】
請求項１記載の方向制御弁において、
前記供給側の弁孔の端部に供給側の弁座面を形成し、
前記弁軸に向けて径方向内方に突出するとともに、円周方向に離れて相互間に弁ハウジングの連通溝を形成する少なくとも３つの弁ハウジングの突起部を、前記供給側の弁孔の内面に設け、
軸方向に伸びて前記弁軸を支持する弁ハウジングの線接触部を、前記弁ハウジングの突起部に設け、
前記弁ハウジングの線接触部と前記ガイド部材の線接触部とにより前記弁軸をガイドすることを特徴とする方向制御弁。
【請求項３】
請求項２記載の方向制御弁において、
前記ガイド部材が嵌合する部分は、前記供給側の弁孔の内径よりも大きいことを特徴とする方向制御弁。
【請求項４】
請求項１記載の方向制御弁において、
前記出力ポートは、第１の出力ポートと第２の出力ポートの２つであり、前記排出ポートは、前記第１の出力ポートに連通する第１の排出ポートと、前記第２の出力ポートに連通する第２の排出ポートとの２つであり、
前記ガイド部材は、前記第１の出力ポートと前記第１の排出ポートとを連通させる排出側の第１の弁孔が設けられた円筒形状の第１のガイド部材と、前記第２の出力ポートと前記第２の排出ポートとを連通させる排出側の第２の弁孔が設けられた円筒形状の第２のガイド部材との２つであり、
前記供給側の弁孔は、前記供給ポートと前記第１の出力ポートとを連通させる供給側の第１の弁孔と、前記供給ポートと前記第２の出力ポートとを連通させる供給側の第２の弁孔との２つであることを特徴とする方向制御弁。
【請求項５】
請求項４記載の方向制御弁において、
前記弁軸に向けて径方向内方に突出するとともに、相互間にガイド部材の連通溝を形成する少なくとも３つのガイド部材の突起部を、前記第１と第２のガイド部材の内周面に円周方向に離して設け、
前記ガイド部材の突起部に前記弁軸を支持するガイド部材の線接触部を軸方向に伸ばして設けることを特徴とする方向制御弁。
【請求項６】
請求項４記載の方向制御弁において、
前記弁軸に向けて径方向内方に突出するとともに、円周方向に離れて相互間に弁ハウジングの連通溝を形成する少なくとも３つの弁ハウジングの突起部とを前記第１と第２の弁孔の内面に設け、
軸方向に伸びて前記弁軸を支持する弁ハウジングの線接触部を、前記弁ハウジングの突起部に設けたことを特徴とする方向制御弁。
【請求項７】
請求項４記載の方向制御弁において、
前記弁軸は、連結軸と当該連結軸の両端に連結される弁付き軸とにより形成されることを特徴とする方向制御弁。
【請求項８】
請求項４記載の方向制御弁において、
前記ガイド部材を取り付ける調整ねじ部材を、前記弁収容孔の両端部にねじ結合し、前記調整ねじ部材により前記弁軸の移動範囲を調整することを特徴とする方向制御弁。
【請求項９】
請求項４記載の方向制御弁において、
前記第１の排出ポートと前記第２の排出ポートとを連通する連通路を、前記供給ポートと前記第１および第２の出力ポートに対してずらして前記弁ハウジングに設けたことを特徴とする方向制御弁。 
【手続補正２】
【補正対象書類名】明細書
【補正対象項目名】００１０
【補正方法】変更
【補正の内容】
【００１０】
本発明の方向制御弁は、空気が供給される供給ポートと、当該供給ポートからの空気を流出する出力ポートと、前記出力ポートへ戻される空気を外部に排出する排出ポートに連通するとともに前記供給ポートおよび前記出力ポートを連通させる供給側の弁孔とを有する弁収容孔が形成される弁ハウジングと、前記弁収容孔内に設けられ、前記出力ポートと前記排出ポートとを連通させる排出側の弁孔が設けられた円筒形状のガイド部材と、前記弁収容孔に軸方向に往復動自在に装着される弁軸と、前記ガイド部材の端部に設けられ、前記弁軸に設けられた弁体に当接して前記排出側の弁孔を閉じ、前記弁体から離れて前記排出側の弁孔を開放する排出側の弁座面と、前記弁軸に向けて径方向内方に突出するとともに、円周方向に離れて前記ガイド部材の内面に設けられ、相互間に前記ガイド部材の連通溝を形成する少なくとも３つのガイド部材の突起部と、前記ガイド部材の突起部に軸方向に伸びて設けられ、前記弁軸を支持するガイド部材の線接触部とを有し、前記ガイド部材は、前記ガイド部材の線接触部で前記弁軸を軸方向にガイドするとともに、前記弁体に前記排出側の弁座面を当接させてシールすることを特徴とする。 
【手続補正３】
【補正対象書類名】明細書
【補正対象項目名】００３１
【補正方法】変更
【補正の内容】
【００３１】
弁収容孔１１において、供給ポート１２と出力ポート１３ａ，１３ｂを連通する弁孔４１ａと４１ｂは内径が最も小さい。出力ポート１３ａ，１３ｂと排出ポート１４ａ，１４ｂの間であってガイド部材２４ａ，２４ｂが嵌合する部分は、弁孔４１ａ，４１ｂよりも内径が大きい。弁収容孔１１の両端であって調整ねじ部材２５ａ，２５ｂがねじ結合する部分は、さらに内径が大きく、最大径部分となっている。 
【手続補正４】
【補正対象書類名】明細書
【補正対象項目名】００４３
【補正方法】変更
【補正の内容】
【００４３】
図８に示されるように、弁軸２１は、供給側の弁孔４１ａ，４１ｂを貫通する連結軸５６と、これの両端部に連結される第１と第２の２つの弁付き軸５６ａ，５６ｂとにより形成されており、２つの弁付き軸５６ａ，５６ｂは同一形状となっている。連結軸５６の両端部には中央部分よりも小径となった小径連結部５７ａ，５７ｂが設けられ、第１の弁付き軸５６ａには小径連結部５７ａが嵌合される嵌合孔５８ａが一端部に形成され、第２の弁付き軸５６ｂには小径連結部５７ｂが嵌合される嵌合孔５８ｂが一端部に形成されている。それぞれの弁付き軸５６ａ，５６ｂの他端部には駆動駒３４，３５が取り付けられる小径連結部５９ａ，５９ｂが設けられている。 
【手続補正５】
【補正対象書類名】図面
【補正対象項目名】図２
【補正方法】変更
【補正の内容】
【図２】
2013228058.tif 000001
【手続補正６】
【補正対象書類名】図面
【補正対象項目名】図７
【補正方法】変更
【補正の内容】
【図７】
2013228058.tif 000002